(57)【要約】【課題】画像データの書き込み及び読み出しに関わるＶＲＡＭ（フレームメモリ）へのアクセスを効率良く行うことで、表示画像の書替え時間を短縮し、画像の表示抜けを防止すると共に、高速の描画を実現する携帯機器を提供する。【解決手段】ＶＲＡＭ制御部５２の読出制御部５２ｅは、ＶＲＡＭ４２への画像データの読み出しアクセスを間欠的に行う。具体的には、まず、間欠信号発生部５２ｃが複数種類の間欠的な読み出しアクセス用信号を発生させて、次に、選択部５２ｄがレジスタ５２ａに設定された画面の構成（文字画面や画像画面の個数）に従って、間欠の度合いが最適な読み出しアクセス用信号を選択して、読出制御部５２ｅに出力する。そして、読出制御部５２ｅは、選択部５２ｄから送られたアクセス用信号に従って、最適な度合いで間欠的にＶＲＡＭ４２へアクセスして、画像データを読み出す。【選択図】  図９
2004198638.tif 000002
【特許請求の範囲】
【請求項１】
表示制御部に対して、フレームメモリに画像データを書き込むように指示する制御部と、
前記制御部からの指示により前記フレームメモリに画像データを書き込むと共に、前記フレームメモリに書き込まれた画像データを読み出し、表示装置側に出力する表示制御部と、を含む携帯機器であって、
前記表示制御部は、画像データの処理における１水平期間内において、画像データの読み出しを間欠的に行うと共に、画像データの読み出しを行う期間においては、前記制御部から指示があった場合に、その指示を受付けておき前記フレームメモリへの画像データの書き込みは行わずに、画像データの読み出しを行わない期間においては、前記制御部から受付けておいた指示、或いは、前記制御部から新たな指示があった場合に、その指示に応じて前記フレームメモリへの画像データの書き込みを行うことを特徴とする携帯機器。
【請求項２】
前記表示制御部は、間欠の度合いの異なる複数の読み出し信号の内、１つを選択して、その読み出し信号に従って、前記画像データの読み出しを間欠的に行うことを特徴とする請求項１に記載の携帯機器。
【請求項３】
前記表示制御部は、前記画像データを構成する文字画面及び／又は画像画面の枚数に応じて、前記間欠の度合いの異なる複数の読み出し信号の選択を行うことを特徴とする請求項２に記載の携帯機器。
【請求項４】
制御部からの指示によりフレームメモリに画像データを書き込む書込制御部と、
前記フレームメモリに書き込まれた画像データを読み出し、表示装置側に出力する読出制御部と、を含む表示制御部を備えた携帯機器であって、
前記読出制御部は、前記画像データの処理における１水平期間内において、前記画像データの読み出しを間欠的に行うと共に、
前記表示制御部は、前記読出制御部が前記画像データの読み出しを行う期間においては、前記制御部から指示があった場合に、その指示を受付けておき前記書込制御部に前記画像データの書き込みは行わせずに、前記読出制御部が前記画像データの読み出しを行わない期間においては、前記制御部から受付けておいた指示、或いは、前記制御部から新たな指示があった場合に、その指示に応じて前記書込制御部に前記画像データの書き込みを行わせる読み書き調停部を備えることを特徴とする携帯機器。
【発明の詳細な説明】
【０００１】
【発明の属する技術分野】
本発明は、画像を表示する機能を備えた携帯機器に関し、その携帯機器において行われる画像の表示書き替え処理に関するものである。
【０００２】
【従来の技術】
従来の携帯機器には、例えばデジタルカメラにより撮影された画像をメモリカード等の記憶媒体に格納して、この記憶媒体から画像データを読み出し、順次、所定の画像を表示装置に表示させる機能を有するものがある。
【０００３】
このような携帯機器においては、ＣＰＵの指示の下、表示制御部によって、ＶＲＡＭからの読み出し、フレームメモリへの書き込み、さらに、フレームメモリからの読み出しが常時行われ、これをＬＣＤパネル等の表示部に出力することが行われている（例えば、特許文献１参照）。
【０００４】
このような場合、表示するデータが作成されるＶＲＡＭと、実際に表示しているデータが格納されるフレームメモリとが別個であることから、間引きを行うための別回路を設ける必要が生じ、このような回路を設けることで回路構成が煩雑になるという問題が生じる。また、このような別回路を設けない場合には、連続して読み出しを行うと、そのときの画像データは、不完全な状態のまま表示メモリに格納され、これがそのまま表示装置に表示されることになるため、表示装置に表示される画像には、所謂、表示抜けが生じ、画像が見苦しくなるという問題が生じる。
【０００５】
【特許文献１】
特開平５−２７７０５号公報  （段落〔００１５〕、第１図）
【０００６】
【発明が解決しようとする課題】
本発明は、上記問題を鑑みて成されたものであり、その目的とするところは、画像データの書き込み及び読み出しに関わるフレームメモリへのアクセスを効率良く行うことで、表示画像の書き替え時間を短縮して、画像の表示抜けを防止すると共に、高速の描画を実現することのできる携帯機器を提供することにある。
【０００７】
【課題を解決するための手段】
上記課題を解決するために、請求項１記載の発明は、表示制御部に対して、フレームメモリに画像データを書き込むように指示する制御部と、前記制御部からの指示により前記フレームメモリに画像データを書き込むと共に、前記フレームメモリに書き込まれた画像データを読み出し、表示装置側に出力する表示制御部と、を含む携帯機器であって、前記表示制御部は、画像データの処理における１水平期間内において、画像データの読み出しを間欠的に行うと共に、画像データの読み出しを行う期間においては、前記制御部から指示があった場合に、その指示を受付けておき前記フレームメモリへの画像データの書き込みは行わずに、画像データの読み出しを行わない期間においては、前記制御部から受付けておいた指示、或いは、前記制御部から新たな指示があった場合に、その指示に応じて前記フレームメモリへの画像データの書き込みを行うことを特徴とする。
【０００８】
また、請求項２記載の発明は、請求項１に記載の携帯機器であって、前記表示制御部は、間欠の度合いの異なる複数の読み出し信号の内、１つを選択して、その読み出し信号に従って、前記画像データの読み出しを間欠的に行うことを特徴とする。
【０００９】
また、請求項３記載の発明は、請求項２に記載の携帯機器であって、前記表示制御部は、前記画像データを構成する文字画面及び／又は画像画面の枚数に応じて、前記間欠の度合いの異なる複数の読み出し信号の選択を行うことを特徴とする。
【００１０】
上記課題を解決するために、請求項４記載の発明は、制御部からの指示によりフレームメモリに画像データを書き込む書込制御部と、前記フレームメモリに書き込まれた画像データを読み出し、表示装置側に出力する読出制御部と、を含む表示制御部を備えた携帯機器であって、前記読出制御部は、前記画像データの処理における１水平期間内において、前記画像データの読み出しを間欠的に行うと共に、前記表示制御部は、前記読出制御部が前記画像データの読み出しを行う期間においては、前記制御部から指示があった場合に、その指示を受付けておき前記書込制御部に前記画像データの書き込みは行わせずに、前記読出制御部が前記画像データの読み出しを行わない期間においては、前記制御部から受付けておいた指示、或いは、前記制御部から新たな指示があった場合に、その指示に応じて前記書込制御部に前記画像データの書き込みを行わせる読み書き調停部を備えることを特徴とする。
【００１１】
【発明の実施の形態】
以下、本発明に係る携帯機器の好適な一実施形態について、図面を参照しながら具体的に説明する。
【００１２】
図１は、本実施形態における携帯機器の制御構成を表すブロック図である。同図に示すように、当該携帯機器は、アンテナ１０、ＴＶチューナ１２、ＩＦ・クロマ処理部１４、音声検波部１６、表示切替部１８、液晶コントローラ２０、液晶パネル（ＬＣＤパネル）２２、ＦＭチューナ２４、音声増幅部２６、音声発生部２８、機器制御部（ＣＰＵ）３０、メモリカードＩＦ３２、操作部３４、操作部ＩＦ３６、音声再生部３８、表示制御部４０、ＶＲＡＭ（フレームメモリ）４２、ＲＡＭ４４及びＲＯＭ４６を備えている。
【００１３】
このような構成において、アンテナ１０により受信された電波は、ＴＶチューナ１２によりチューニングされ、ＩＦ・クロマ処理部１４によりテレビの画像信号（映像信号）が復調され、また、音声信号は音声検波部１６により検波される。ＩＦ・クロマ処理部１４により復調された画像信号は、表示切替部１８を介して液晶コントローラ２０に送り出されてＬＣＤパネル２２にテレビ画像が表示される。尚、上記ＴＶチューナ１２及びＩＦ・クロマ処理部１４は、テレビ処理回路１５を構成し、液晶コントローラ２０及びＬＣＤパネル２２は、表示部２３を構成する。
【００１４】
また、音声検波部１６により検波された音声信号、ＦＭチューナ２４によりチューニングされた音声信号、及び音声再生部３８により再生された音声信号は、音声増幅部２６に入力されて増幅され、音声発生部２８により音声が得られる。尚、音声増幅部２６は、機器制御部（ＣＰＵ）３０からの制御信号により、入力された音声信号の何れか１つを選択して、その音声信号を増幅する。例えば、後述のように、動作モードがテレビに設定された場合には、音声検波部１６により検波された音声信号が選択され、動作モードがＦＭラジオに設定された場合には、ＦＭチューナ２４によりチューニングされた音声信号が選択され、動作モードがオーディオ又はデジタルカメラに設定された場合には、音声再生部３８により再生された音声信号が選択される。
【００１５】
ところで、機器制御部（ＣＰＵ）３０は、操作部３４の操作に応じた各種の演算を行ったり、表示部２３の表示画面の制御等を行うが、本実施形態においては、操作部３４の操作の内、所定の操作を行った場合には、表示部２３にオンスクリーンディスプレイ（ＯＳＤ）表示が行われるように配慮されている。また、表示部２３に表示される表示画面の内、特定の表示画面にもＯＳＤ表示が行われるように配慮されている。具体的には、操作部３４の所定の操作に応じて、後述の音量ボタンの操作時による音量、ジョグスイッチの操作による表示画面の明るさの調整量、テレビチャンネル、その他の文字情報等のＯＳＤ表示が行われる。また、特定の表示画面であるメニュー画面には、電池残量等のＯＳＤ表示が行われる。
【００１６】
図２（Ａ）、（Ｂ）は、図１に示す携帯機器の外観図であり、同図（Ａ）は、表側から見た外観図、同図（Ｂ）は、裏側から見た外観図である。また、図３は、カバーを開いた状態の外観図である。この携帯機器の本体１００は、図１の制御回路を内蔵しており、その正面には、カバー１０２が開閉自在に取り付けられている。カバー１０２の下部には電源ランプ１０４が取り付けられている。電源ランプ１０４の下部には、カバー固定つまみ１０６が取り付けられており、このカバー固定つまみを下方にスライドさせることにより、カバー１０２が開くように構成されている。カバー１０２が開くと、ＬＣＤパネル２２が現れる。本体１００の正面側の上部端面には、音量ボタン１１４が取り付けられている。また、本体１００の正面側の左側部には、メモリカード挿入口１１６が設けられており、メモリカード４８が挿入される。尚、上記電源スイッチ１０８、メニューボタン１１０、ジョグスイッチ１１２及び音量ボタン１１４は、図１の操作部３４を構成している。
【００１７】
図１乃至図３の携帯機器の概要を、まず、その操作部３４と表示部２３に着目して説明する。カバー固定つまみ１０６をスライドさせることによりカバー１０２が開いてＬＣＤパネル２２が現れる。電源スイッチ１０８をオンに合わせると電源ランプ１０４が点灯する（尚、電源ランプ１０４の点灯回路は省略してある。）。電源スイッチ１０８がオンになると、機器制御部（ＣＰＵ）３０はＲＯＭ４６に書き込まれたプログラムを読み出し、表示制御部４０を介してＶＲＡＭ４２にメニュー画面を作成し、液晶コントローラ２０及びＬＣＤパネル２２から構成される表示部２３に送り出されて、メニュー画面が表示される。
【００１８】
図４は、このときのメニュー画面の説明図である。図示のように、メニュー（動作モード）として、例えばオーディオ、テレビ、ＦＭラジオ及びデジタルカメラが表示される。ジョグスイッチ１１２を上又は下に動かすことにより、動作モードが選択される。図４の例においては、動作モードとしてテレビが選択されており、ジョグスイッチ１１２を押すことによりそのモードが設定される。
【００１９】
図５は、ジョグスイッチ１１２を動かして、動作モードとしてデジタルカメラを選択した場合の説明図である。ジョグスイッチ１１２を押すことにより動作モードとしてデジタルカメラが設定される。
【００２０】
図６は、各モードからモード設定に移行する際の処理の説明図である。図６の例においては、テレビのモードからその設定モードに移行する場合の例を示したものであり、メニューボタン１１０を長押しすることにより、テレビ設定のメニューが表示され、ジョグスイッチ１１２を下に動かしてブライトネスを選択して、ジョグスイッチを押すことによりその選択が設定される。続いて、ジョグスイッチ１１２を上又は下に動かして明るさを選択して、ジョグスイッチ１１２を押すことによりその選択が設定される。尚、この明るさを選択する際には、ジョグスイッチ１１２の操作による明るさに対応した個数のバーが表示される（ＯＳＤ表示）。そして、テレビモードに再び戻る場合には、メニューボタン１１０を再び押す。
【００２１】
図６の例では、テレビの動作モードからモード設定に移行する際の処理を説明したが、オーディオ、ＦＭラジオ及びデジタルカメラの他の動作モードにおいても同様である。
【００２２】
次に、動作モードとしてテレビが設定された場合の動作について説明する。アンテナ１０により受信された電波は、ＴＶチューナ１２で所定のチャンネルにチューニングされる。ＩＦ・クロマ処理部１４は、そのチューニングされた信号から画像信号（映像信号）を得て、その画像信号の輝度信号及び色信号を３原色の画像信号に復調して、表示切替部１８に送出する。動作モードとしてテレビが設定されている場合には、表示切替部１８は、ＩＦ・クロマ処理部１４からの画像信号を液晶コントローラ２０に出力する。液晶コントローラ２０は、その画像信号に基づいてＬＣＤパネル２２の画素を制御し、ＬＣＤパネル２２にテレビ画像が表示される。また、音声検波部１６は、ＴＶチューナ１２で所定のチャンネルにチューニングされた信号から音声信号を検波して音声増幅部２６に出力する。音声増幅部２６は、その音声信号を増幅して音声発生部２８に出力し、音声発生部２８から上記ＬＣＤパネル２２のテレビ画像に対応した音声が出力される。
【００２３】
また、動作モードがＦＭラジオに設定された場合については、アンテナ１０により受信された電波は、ＦＭチューナ２４で所定の周波数にチューニングされ、その音声信号は音声増幅部２６に出力される。音声増幅部２６は、その音声信号を増幅して音声発生部２８に出力し、音声発生部２８から上記にてチューニングされた局の放送の音声が出力される。
【００２４】
また、動作モードが、例えばデジタルカメラに設定されている場合については、デジタルカメラで撮影した画像をメモリカード４８に格納しておいて、メモリカード４８をメモリカード挿入口１１６に挿入して装着する。機器制御部（ＣＰＵ）３０は、メモリカードＩＦを介してメモリカード４８に格納されている音声データ（メモリカード４８に音声データも格納されている場合）を取り込んで、音声再生部３８に出力する。音声再生部３８は、音声データを再生し、音声信号を音声増幅部２６に出力する。また、機器制御部（ＣＰＵ）３０は、メモリカードＩＦを介してメモリカード４８に格納されている画像データを取り込んで再生し、表示制御部４０に出力する。音声増幅部２６は、入力された音声信号を増幅して、音声発生部２８に出力し、音声発生部２８からメモリカード４８に格納されている音声が出力される。また、表示制御部４０は、出力された画像データをＶＲＡＭ４２に格納して、表示画像を展開した後に表示切替部１８に出力する。動作モードがデジタルカメラに設定されている場合には、表示切替部１８は、表示制御部４０からの画像信号を液晶コントローラ２０に出力する。液晶コントローラ２０は、その画像信号に基づいてＬＣＤパネル２２の画素を制御してＬＣＤパネル２２にデジタルカメラの画像を表示させる。
【００２５】
さらに、このＬＣＤパネル２２に表示された静止画像を切り替える操作は、図７（ａ）、（ｂ）に示されるように、１つ前の静止画（写真）を表示する場合には、ジョグスイッチを上側に操作し、１つ後の静止画像（写真）を表示する場合は、ジョグスイッチを下側に操作する。機器制御部（ＣＰＵ）３０がその操作信号を入力して表示制御部４０に出力することにより切り替えの処理がなされる。また、操作によって、メモリカード内の画像データを画面の壁紙のようにし、その上にメニューを重ねて表示するなど、画像と文字との重ね合わせ表示も可能となる。
【００２６】
また、動作モードが、例えばオーディオに設定されている場合については、機器制御部（ＣＰＵ）３０は、表示切替部１８に切り替え信号を出力し、表示制御部４０からの信号を液晶コントローラ２０に出力させる。そして、音声再生部３８は、メモリカード４８に記録されているディジタル音楽データを読み出してアナログ信号にデコードし、アナログの音響信号を音声増幅部２６に出力する。さらに、メモリカード４８に記録されているアーティスト名や曲名などのデータは、機器制御部（ＣＰＵ）３０によって読み出され、表示制御部４０に与えられる。表示制御部４０は、機器制御部（ＣＰＵ）３０から入力する画像データに基づいて表示部２３に表示するフレームデータを作成し、表示切替部１８に出力する。表示切替部１８は、表示制御部４０からのフレームデータを液晶コントローラ２０に出力する。液晶コントローラ２０は、そのフレームデータに基づいてＬＣＤパネル２２の画素を制御してＬＣＤパネル２２に画像を表示させる。これにより、例えばアーティスト名や曲名（タイトル）、トラック番号などの再生している曲に関する情報が画像として表示部２３に表示される。
【００２７】
図８は、図１の表示制御部４０の詳細な構成を示すブロック図である。この表示制御部４０は、レジスタ５０、ＶＲＡＭ制御部５２、表示メモリ５４及びオンスクリーンディスプレイ回路（ＯＳＤ回路）５８から構成されている。この表示制御部４０には、機器制御部（ＣＰＵ）３０、ＶＲＡＭ４２、表示部２３が接続されている。
【００２８】
このような構成において、機器制御部（ＣＰＵ）３０は、ＲＯＭ４６やメモリカード４８に格納されている画像データ（メニュー画面や、音楽再生時のアーティスト名・曲名（タイトル）等のデータを含む）を取り込み、これを解凍して再生し、ＶＲＡＭ制御部５２に出力する。ＶＲＡＭ制御部５２は、その画像データをＶＲＡＭ（フレームメモリ）４２に書き込む。さらに、ＶＲＡＭ制御部５２は、このＶＲＡＭ（フレームメモリ）４２に格納された画像データを読み出し、これを表示メモリ（ラインメモリ）５４に１ラインずつ格納する。尚、表示メモリ５４では、ＶＲＡＭ制御部５２の時間軸調整と、レジスタ５０に設定された１画面を構成する文字画面や画像画面の個数情報に基づく文字画面や画像画面の重ね合わせ処理などが行われる。さらに、表示メモリ（ラインメモリ）５４においては、画像データが１ライン分書き込まれる度に、１つ手前に格納されていた１ライン分の画像データが順次読み出され、ＯＳＤ回路５８を介して表示部２３に送り出される。表示部２３においては、１ライン毎に画像が表示される。これらの処理は、表示部２３に１枚分の画像が表示されるまで繰り返し行われる。さらに、特定の表示画面には、ＯＳＤ回路５８によりＯＳＤ表示が行われる。
【００２９】
ここで、本発明の特徴部分である、画像データの書き込み及び読み出しに関わるフレームメモリへのアクセス、即ち、機器制御部（ＣＰＵ）３０の指示によるＶＲＡＭ制御部５２からのＶＲＡＭ４２への画像データの書き込み及びＶＲＡＭ制御部５２によるＶＲＡＭ４２からの画像データの読み出し制御について具体的に説明する。
【００３０】
図９に、図８のＶＲＡＭ制御部５２の詳細な構成を表すブロック図を示す。ＶＲＡＭ制御部５２は、機器制御部（ＣＰＵ）３０からの指示により、画面データの構成（文字画面や画像画面の個数など）を設定するレジスタ５２ａと、ＶＲＡＭ４２にアクセスして画像データを書き込む書込制御部５２ｂと、間欠的な読み出しアクセス用信号を複数種類発生させる間欠信号発生部５２ｃと、レジスタ５２ａに設定された画面の構成に従って、最適な度合いの間欠アクセス用信号を選択する選択部５２ｄと、水平同期信号に同期して、選択された間欠アクセス用信号に基づきＶＲＡＭ４２にアクセスして画像データを読み出す読出制御部５２ｅと、書込制御部５２ｂ及び読出制御部５２ｅからのＶＲＡＭ４２へのアクセスのタイミングを調整する読み書き調停部５２ｆから構成されている。尚、同図に示すレジスタ５２ａは、図８におけるレジスタ５０に該当するものであって、このようにＶＲＡＭ制御部５２の内部に設けられても良い。また、間欠信号発生部５２ｃと、選択部５２ｄと、読出制御部５２ｅとは必ずしも分かれている必要はなく、これらを１つの読出部として構成しても良い。
【００３１】
以下、このＶＲＡＭ制御部５２のＶＲＡＭ４２に対する画像データの書き込み処理及び読み出し処理の一連の流れについて説明する。
【００３２】
まず、ＶＲＡＭ制御部５２のＶＲＡＭ４２に対する画像データの書き込み処理の一連の流れについて、図１０に示すフローチャートを参照して説明する。例えば、当該携帯機器の初期状態、即ち、表示部２３に、図４に示されるメニュー画面が表示された状態において（Ｓ０１）、ジョグスイッチ１１２が動かされることで動作モードが選択されるなどして、画像を切り替える処理を行うことになった場合、機器制御部（ＣＰＵ）３０はＶＲＡＭ制御部５２の書込制御部５２ｂに対してＶＲＡＭ４２への画像データの書き込みを指示する（Ｓ０２）。この際、読み書き調停部５２ｆは、それ以前に行われていた書込制御部５２ｂからのアクセス、即ち、書込制御部５２ｂによるＶＲＡＭ４２への画像データの書き込み処理が完了しているか否かを判断する（Ｓ０３）。ここで、書込制御部５２ｂによる画像データの書き込み処理が完了していなかった場合には（Ｓ０３、Ｙｅｓ）、読み書き調停部５２ｆは、機器制御部（ＣＰＵ）３０に対して待機信号を送信して（Ｓ０４）、機器制御部（ＣＰＵ）３０は、これを受けて、ＶＲＡＭ制御部５２の書込制御部５２ｂに対するＶＲＡＭ４２への画像データの書き込み指示を待機させる。また、画像データの書き込み処理が完了していた場合には（Ｓ０３、Ｎｏ）、読み書き調停部５２ｆは、機器制御部（ＣＰＵ）３０からの指示を受付けて（Ｓ０５）、さらに、読出制御部５２ｅからのアクセス、即ち、読出制御部５２ｅによるＶＲＡＭ４２からの画像データの読み出し処理が完了しているか否かを判断する（Ｓ０６）。ここで、読出制御部５２ｅによる画像データの読み出し処理が完了していなかった場合には（Ｓ０６、Ｙｅｓ）、読み書き調停部５２ｆは、この読出制御部５２ｅによる画像データの読み出し処理を優先して、書込制御部５２ｂによる画像データの書き込み処理を待機させる。そして、読み書き調停部５２ｆは、この読出制御部５２ｅの画像データの読み出し処理が終了した際に（Ｓ０６、Ｎｏ）、書込制御部５２ｂによる画像データの書き込み処理を許可して、書込制御部５２ｂはＶＲＡＭ４２にアクセスして画像データを書き込む（Ｓ０７）。そして、書込制御部５２ｂによるＶＲＡＭ４２への画像データの書き込み処理が完了すると、初期状態へと移行する（Ｓ０１）。さらに、これらＳ０１〜Ｓ０７の処理が必要な回数だけ繰り返されると、ＶＲＡＭ４２上には１枚の画像イメージが展開される。
【００３３】
次に、ＶＲＡＭ制御部５２のＶＲＡＭ４２に対する画像データの読み出し処理の一連の流れについて、図１１に示すフローチャートを参照して説明する。当該携帯機器の読み出し処理の初期状態、即ち、水平及び垂直帰線期間などにおいて（Ｓ１１）、水平同期信号により各ラインの表示を開始させるタイミングとなった場合、ＶＲＡＭ制御部５２の読出制御部５２ｅは、所定のタイミングにて、ＶＲＡＭ４２から所定の表示ラインに該当する表示すべき所定の画面（文字画面若しくは画像画面）の画像データを読み出す（Ｓ１２）。そして、読出制御部５２ｅは、読み出した画像データを表示メモリ５４に格納する（Ｓ１３）。さらに、読出制御部５２ｅは、画像データの読み書き処理が１ライン分完了したか否かを判断する（Ｓ１４）。ここで、画像データの読み書き処理が完了していなかった場合には、Ｓ１２へと移行して、画像データの読み書き処理をさらに行う。また、画像データの読み書き処理が完了していた場合には、読出制御部５２ｅは、未だ画像データの読み書き処理が完了していない他の表示画面が存在するか否かを判断する（Ｓ１５）。ここで、他の表示画面が存在していた場合には、Ｓ１２へと移行して、その表示画面に関する画像データの読み書き処理を行う。このような処理は、具体的には、レジスタ５２ａに設定される画面の構成（文字画面や画像画面の個数）に応じて必要な回数だけ繰り返される。そして、未だ画像データの読み書き処理が完了していない他の表示画面が存在しなくなった場合には（Ｓ１５、Ｎｏ）、初期状態へと移行する（Ｓ０１）。これにより、表示メモリ５４上には１ライン分の画面イメージが作成される。さらに、表示部２３は、所定のタイミング（ＨＳＹＮＣ（水平同期）を基準としたタイミング）にて、表示メモリ５４から画像データを読み出し、表示部２３には１ライン分の画像が表示される。このような処理、即ち、Ｓ１１〜Ｓ１５を繰り返して、画面を表示部２３に表示させる。
【００３４】
次に、選択部５２ｄが選択する、間欠の度合いが最適な読み出しアクセス用信号について説明する。
【００３５】
前述のように、ＶＲＡＭ制御部５２の選択部５２ｄは、間欠信号発生部５２ｃが発生させる複数種類の間欠的な読み出しアクセス用信号から、間欠の度合いが最適な読み出しアクセス用信号を選択して、読出制御部５２ｅに出力する。具体的には、レジスタ５２ａに設定された画面の構成（文字画面や画像画面の個数）に従って、間欠の度合いが最適な読み出しアクセス用信号を選択する。例えば、画像データが文字画面のみや画像画面のみで、しかも１枚分の画像データしか使用しない（画像データの重ね合わせ処理を行わない）場合には、これをＶＲＡＭ４２に書き込むためのＶＲＡＭ制御部５２からのアクセス時間は少なくて済み、また、これをＶＲＡＭ４２から読み出すためのＶＲＡＭ制御部５２からのアクセス時間も少なくて済むため、ＶＲＡＭ制御部５２からＶＲＡＭ４２への画像データを読み出すためのアクセス間隔が大きくなるような読み出しアクセス用信号が選択される。また、文字画面と画像画面の両方を表示したり、これらの重ね合わせ処理を行う場合には、これをＶＲＡＭ４２に書き込むためのＶＲＡＭ制御部５２からのアクセス時間は多くする必要があり、また、これをＶＲＡＭ４２から読み出すためのＶＲＡＭ制御部５２からのアクセス時間も多くする必要があるため、ＶＲＡＭ制御部５２からＶＲＡＭ４２への画像データを読み出すためのアクセス間隔が小さくなるような読み出しアクセス用信号が選択される。但し、これら何れの場合であってもＶＲＡＭ制御部５２からＶＲＡＭ４２への画像データを読み出すためのアクセスは連続する量が少なく、またアクセスの間隔が一定となるように調整される。このように、アクセスの間隔を一定とすることでさらに効率を高めることができる。
【００３６】
即ち、間欠信号発生部５２ｃは、複数種類の間欠的な読み出しアクセス用信号としてアクセス間隔の間欠の度合いが異なるパターン（例えば、２クロック間隔のもの、４クロック間隔のもの等）を幾つか発生させて、一方、選択部５２ｄは、表示する画像データ、即ち、ＶＲＡＭ４２に書き込まれる画像データの構成（文字画面や画像画面の個数）に応じて、機器制御部（ＣＰＵ）３０の指示により画像データをＶＲＡＭ４２に書き込むべく書込制御部５２ｂがＶＲＡＭ４２にアクセスする際に、読み書き調停部５２ｆによって、そのアクセスが禁止される時間が最も少なくなるような読み出しアクセス用信号を選択する。
【００３７】
ここで、ＶＲＡＭ制御部５２の読み書き調停部５２ｆにおいて行われる、書込制御部５２ｂ及び読出制御部５２ｅからのＶＲＡＭ４２へのアクセスのタイミング調整（調停）の具体例について、図１２乃至図１４に示すタイミングチャートに基づいて説明する。尚、図１２乃至図１４に示すＣＬＫは、ＶＲＡＭアクセスに関するクロックである。また、ＥＮ＿ＭＥＭは、ＶＲＡＭ制御部５２からＶＲＡＭ４２への画像データの読み出しアクセスに係るＶＲＡＭ４２の動作イネーブルである。また、ＡＣ＿ＣＰＵは、機器制御部（ＣＰＵ）３０からのアクセスである。また、ＥＮ＿ＣＰＵは、機器制御部（ＣＰＵ）３０からＶＲＡＭ４２への画像データの書き込みアクセスに係るＶＲＡＭ４２の動作イネーブルである。
【００３８】
また、本例においては、１水平期間のクロック数ｎは、ｎ＝６００とし、また、ＶＲＡＭ制御部５２の読出制御部５２ｅがＶＲＡＭ４２から文字画面１ライン分又は画像画面１ライン分の画像データを読み出すために必要とするアクセス時間は、１００クロックとする。また、機器制御部（ＣＰＵ）３０からのアクセスは、１０クロック間隔で行われるものとする。
【００３９】
（例１：画像データが文字画面１枚により構成される場合）
例えば、画像データが文字画面１枚によって構成される場合に、選択部５２ｄが、これに応じて表示メモリからのアクセスを３クロックに１回とする読み出しアクセス用信号を選択したとする。この場合、図１２に示すように、表示系からのアクセス期間は１・１００・３＝３００クロックとなる。しかしながら、当該携帯機器においては、この期間、表示系からのアクセスは３クロックに１回と間欠的に行われるため、機器制御部（ＣＰＵ）３０からのアクセスも可能となる。また、機器制御部（ＣＰＵ）３０からのアクセスと表示系からのアクセスとが重なった場合であっても、機器制御部（ＣＰＵ）３０からのアクセスを表示メモリからのアクセス分だけ待たせれば良く、さらには、機器制御部（ＣＰＵ）３０からのアクセスは、残りのｎ／２＝３００クロックの期間にも行うことができることから、結果として、従来のように表示メモリからのアクセス期間内において機器制御部（ＣＰＵ）３０からのアクセスが禁止される場合と比較して、１水平期間内における機器制御部（ＣＰＵ）３０からの画像データ書き込みアクセス時間をより増加させることができる。
【００４０】
（例２：画像データが文字画面１枚と画像画面２枚を重ね合わせることで構成される場合）
例えば、画像データが文字画面１枚と画像画面２枚を重ね合わせることによって構成される場合に、選択部５２ｄが、これに応じて表示メモリからのアクセスを２クロックに１回とする読み出しアクセス用信号を選択したとする。この場合、図１３に示すように、表示系からのアクセス期間は３・１００・２＝６００クロックとなる。しかしながら、当該携帯機器においては、この期間、表示系からのアクセスは３クロックに１回と間欠的に行われるため、機器制御部（ＣＰＵ）３０からのアクセスも可能となる。また、機器制御部（ＣＰＵ）３０からのアクセスと表示系からのアクセスが重なった場合であっても、機器制御部（ＣＰＵ）３０からのアクセスを、表示メモリからのアクセス分、即ち１クロックだけ待たせれば良く、たとえ機器制御部（ＣＰＵ）３０からのアクセスが、例えば２回につき１回待たされたとしても、結果として、従来のように表示メモリからのアクセス期間内において機器制御部（ＣＰＵ）３０からのアクセスが禁止される場合と比較して、１水平期間内における機器制御部（ＣＰＵ）３０からの画像データ書き込みアクセス時間をより増加させることができる。
【００４１】
（例３：画像データが文字画面２枚と画像画面２枚を重ね合わせることで構成される場合）
例えば、画像データが文字画面２枚と画像画面２枚を重ね合わせることによって構成される場合、選択部５２ｄは、これに応じて表示メモリからのアクセスを３クロックに１回（但し、この内、２クロックはアクセス時間）とする読み出しアクセス用信号を選択したとする。この場合、図１４に示すように、表示系からのアクセス期間は４・１００・３／２＝６００クロックとなる。しかしながら、当該携帯機器においては、この期間、表示系からのアクセスは３クロックに１回（但し、この内、２クロックはアクセス時間）と間欠的に行われるため、機器制御部（ＣＰＵ）３０からのアクセスも可能となる。また、機器制御部（ＣＰＵ）３０からのアクセスと表示系からのアクセスが重なった場合であっても、機器制御部（ＣＰＵ）３０からのアクセスを、表示メモリからのアクセス分、即ち、１又は２クロックだけ待たせれば良く、たとえ機器制御部（ＣＰＵ）３０からのアクセスが、例えば３回につき２回待たされたとしても、結果として、従来のように表示メモリからのアクセス期間内において機器制御部（ＣＰＵ）３０からのアクセスが禁止される場合と比較して、１水平期間内における機器制御部（ＣＰＵ）３０からの画像データ書き込みアクセス時間をより増加させることができる。
【００４２】
このように、本実施形態における携帯機器では、ＶＲＡＭ制御部５２（の読出制御部５２ｅ）からのＶＲＡＭ４２に対する画像データの読み出しアクセスを間欠的に行うことで、その間隔期間内において、機器制御部（ＣＰＵ）３０の指示によるＶＲＡＭ制御部５２（の書込制御部５２ｂ）からのＶＲＡＭ４２に対する画像データの書き込みアクセスを行うことが可能となるので、結果として、１水平期間内における機器制御部（ＣＰＵ）３０からの画像データ書き込みアクセスの時間を増やすことができ、表示画像の書き替え時間を短縮して、画像の表示抜けを防止すると共に、高速の描画を実現することができる。
【００４３】
また、本実施形態における携帯機器では、画像データを構成する文字画面や画像画面の重ね合わせ枚数に応じて、ＶＲＡＭ制御部５２（の読出制御部５２ｅ）からのＶＲＡＭ４２に対する画像データの読み出しアクセスの間欠の度合いが調整されるので、画像データが如何なる構成であってもこれに対応して１水平期間内における機器制御部（ＣＰＵ）３０からのアクセス時間を増やすことができる。従って、表示画像の書き替え時間を短縮して、画像の表示抜けを防止すると共に、高速の描画を実現することができる。
【００４４】
尚、本実施形態における携帯機器では、画像データの解凍及び再生は、機器制御部（ＣＰＵ）３０が行うこととしたが、音声再生部（ＤＳＰ）３８を音声・画像再生部（ＤＳＰ）として構成することで、この音声・画像再生部（ＤＳＰ）が画像データの解凍及び再生を行うこととしても良い。
【００４５】
【発明の効果】
以上説明したように、本発明に係る携帯機器によれば、画像データの書き込み及び読み出しに関わるフレームメモリへのアクセスが効率良く行われるので、表示画像の書き替え時間を短縮して、画像の表示抜けを防止すると共に、高速の描画を実現することができる。
【図面の簡単な説明】
【図１】本発明に係る携帯機器の一実施形態における制御構成を表すブロック図である。
【図２】図１に示す携帯機器の外観図であり、同図（Ａ）は表側から見た外観図、同図（Ｂ）は裏側から見た外観図である。
【図３】図２の携帯機器のカバーを開いた状態の外観図である。
【図４】図１に示す携帯機器のメニュー画面の説明図である。
【図５】図４に示すメニュー画面を表示した状態で、ジョグスイッチを操作してデジタルカメラモードを選択した場合の説明図である。
【図６】各モードからモード設定に移行する際の処理の説明図である。
【図７】デジタルカメラモードにおいて、表示画面を切り替える際の操作を示す説明図である。
【図８】図１に示す携帯機器の表示制御部の構成を示すブロック図である。
【図９】図８に示す表示制御部のＶＲＡＭ制御部の構成を示すブロック図である。
【図１０】ＶＲＡＭ制御部のＶＲＡＭに対する画像データの書き込み処理及び読み出し処理の一連の流れを説明するフローチャートである。
【図１１】ＶＲＡＭ制御部の読出制御部がＶＲＡＭへ間欠的にアクセスを行う一連の流れを説明するフローチャートである。
【図１２】本実施形態における携帯機器のＶＲＡＭ制御部の読み書き調停部において行われる、書込制御部及び読出制御部からのＶＲＡＭへのアクセスのタイミングチャートの一例である。
【図１３】本実施形態における携帯機器のＶＲＡＭ制御部の読み書き調停部において行われる、書込制御部及び読出制御部からのＶＲＡＭへのアクセスのタイミングチャートの一例である。
【図1４】本実施形態における携帯機器のＶＲＡＭ制御部の読み書き調停部において行われる、書込制御部及び読出制御部からのＶＲＡＭへのアクセスのタイミングチャートの一例である。
【符号の説明】
３０  機器制御部（ＣＰＵ）
４２  ＶＲＡＭ
５２  ＶＲＡＭ制御部
５２ａ  レジスタ
５２ｂ  書込制御部
５２ｃ  間欠信号発生部
５２ｄ  選択部
５２ｅ  読出制御部
５２ｆ  読み書き調停部
５４  表示メモリ
【図１】
2004198638.tif 000003
【図２】
2004198638.tif 000004
【図３】
2004198638.tif 000005
【図４】
2004198638.tif 000006
【図５】
2004198638.tif 000007
【図６】
2004198638.tif 000008
【図７】
2004198638.tif 000009
【図８】
2004198638.tif 000010
【図９】
2004198638.tif 000011
【図１０】
2004198638.tif 000012
【図１１】
2004198638.tif 000013
【図１２】
2004198638.tif 000014
【図１３】
2004198638.tif 000015
【図１４】
2004198638.tif 000016